(57)【要約】【課題】ポンプの拍動、回転による接続チューブの伸びやせり出しを緩衝できるため、接続チューブのキンク、装着溝から外へはみ出して各種装置の構成部品や血液回路の構成部品の接触を防止できる血液回路パネルを提供すること。【解決手段】少なくとも血液回路チューブＢＴの装着溝ＢＴＭと、血液回路チューブＢＴとポンプチューブＰＴとを繋ぐ接続チューブＪＴの装着溝ＪＴＭを有する。当該装着溝ＪＴＭの途中に、接続チューブＪＴのループ部ＪＴＬの装着溝ＪＴＬＭを形成した。当該装着溝ＪＴＬＭは少なくとも接続チューブＪＴのループ部ＪＴＬが遊着できる空間を有する形状である。【選択図】図１
2017164285.tif 000002
【特許請求の範囲】
【請求項１】
少なくとも血液回路チューブ（ＢＴ）の装着溝（ＢＴＭ）と、血液回路チューブ（ＢＴ）とポンプチューブ（ＰＴ）とを繋ぐ接続チューブ（ＪＴ）の装着溝（ＪＴＭ）を有し、
当該接続チューブ（ＪＴ）の装着溝（ＪＴＭ）の途中に、接続チューブ（ＪＴ）のループ部（ＪＴＬ）の装着溝（ＪＴＬＭ）を形成した、
ことを特徴とする血液回路パネル（１Ｓ、１Ｆ）。
【請求項２】
ループ部（ＪＴＬ）の装着溝（ＪＴＬＭ）は少なくとも接続チューブ（ＪＴ）のループ部（ＪＴＬ）が遊着できる空間を有する形状である、ことを特徴とする請求項１に記載の血液回路パネル（１Ｓ、１Ｆ）。
【請求項３】
接続チューブ（ＪＴ）の外径を（φＤ）、
当該接続チューブ（ＪＴ）が装着溝（ＪＴＭ）からせり出す前のループ部（ＪＴＬ）の内径を（φＡ）、
接続チューブ（ＪＴ）が長さ（Ｃ）だけ側部（Ｓ）の一方向に装着溝（ＪＴＭ）からせり出した時のループ部（ＪＴＬ）の外径を（φＢ）とすると、
接続チューブ（ＪＴ）の一部が装着溝（ＪＴＬＭ）の中に、（Ｎ）周分、ループ状に巻かれて装着されている場合、
装着溝（ＪＴＬＭ）の外径（φＢ）は、
φＢ＝［（φＡ＋２Ｄ）π＋Ｃ／Ｎ］／πにより算出した値以上の大きさに形成する、ことを特徴とする請求項１または請求項２に記載の血液回路パネル（１Ｓ、１Ｆ）。
【請求項４】
ループ部（ＪＴＬ）の装着溝（ＪＴＬＭ）は、側部（Ｓ）の一方向で血液回路チューブ（ＢＴ）の接続管（ＢＴＪ）の装着溝（ＢＴＪＭ）と繋がり、他の側部（Ｓ）の一方向でポンプチューブ（ＰＴ）の接続管（ＰＴＪ）の装着溝（ＰＴＪＭ）と繋がっている、ことを特徴とする請求項１から請求項３のいずれか１項に記載の血液回路パネル（１Ｓ、１Ｆ）。
【請求項５】
ループ部（ＪＴＬ）の装着溝（ＪＴＬＭ）は、
（Ａ）下部（Ｄ）方向から第２側部（Ｓ２）方向に向けて血液回路チューブ（ＢＴ）の接続管（ＢＴＪ）の装着溝（ＢＴＪＭ）と繋がり、かつ下部（Ｄ）方向から第１側部（Ｓ１）方向に向けてポンプチューブ（ＰＴ）の接続管（ＰＴＪ）の装着溝（ＰＴＪＭ）と繋がり、または
（Ｂ）第１側部（Ｓ１）方向から下部（Ｄ）方向に向けて前記装着溝（ＢＴＪＭ）と繋がり、かつ第２側部（Ｓ２）方向から下部（Ｄ）方向に向けて前記装着溝（ＰＴＪＭ）と繋がり、または
（Ｃ）第１側部（Ｓ１）方向から下部（Ｄ）方向に向けて前記装着溝（ＢＴＪＭ）と繋がり、かつ上部（Ｕ）方向から第２側部（Ｓ２）方向に向けて前記装着溝（ＰＴＪＭ）と繋がり、または
（Ｄ）第２側部（Ｓ２）方向から上部（Ｕ）方向に向けて前記装着溝（ＢＴＪＭ）と繋がり、かつ上部（Ｕ）方向から第２側部（Ｓ２）方向に向けて前記装着溝（ＰＴＪＭ）と繋がっている、
ことを特徴とする請求項１から請求項４のいずれか１項に記載の血液回路パネル（１Ｓ、１Ｆ）。
【請求項６】
少なくとも一個以上のチャンバー（ＣＦ２、ＣＭ、ＣＢ、ＣＲＢ、ＣＦ１）の装着溝（ＣＦ２Ｍ、ＣＭＭ、ＣＢＭ、ＣＲＢＭ、ＣＦ１Ｍ）を形成し、
少なくとも一個以上のセンサー（ＳＬ、ＳＢ、ＳＡ）の装着溝（ＳＬＭ、ＳＢＭ、ＳＡＭ）を形成した、
ことを特徴とする請求項１から請求項５のいずれか１項に記載の血液回路パネル（１Ｓ、１Ｆ）。
【請求項７】
少なくとも一個以上のクランプ（ＣＬ）の装着溝（ＣＬＭ）を形成し、
少なくとも一個以上のポンプチューブ（ＰＴ）の接続管（ＰＴＪ）の装着溝（ＰＴＪＭ）を形成し、
少なくとも一個以上の血液回路チューブ（ＢＴ）の接続管（ＪＴ）の装着溝（ＪＴＭ）を形成した、
ことを特徴とする請求項１から請求項６のいずれか１項に記載の血液回路パネル（１Ｓ、１Ｆ）。
【請求項８】
正面または側面の側部（Ｓ）の一方向に複数のポンプ（Ｐ）を装着し、
当該複数のポンプ（Ｐ）の側部（Ｓ）の一方向の近傍に請求項１から請求項７のいずれか１項に記載の血液回路パネル（１Ｓ、１Ｆ）を隣接して装着し、
接続チューブ（ＪＴ）の装着溝（ＪＴＭ）に、途中にループ部（ＪＴＬ）を形成した接続チューブ（ＪＴ）を装着した、
ことを特徴とする血液浄化装置（５０）。
【請求項９】
接続チューブ（ＪＴ）のループ部（ＪＴＬ）は、装着溝（ＪＴＭ）に遊着して、ポンプ（Ｐ）の回転により接続チューブ（ＪＴ）が動く範囲でループ径を可変させることができるように装着した、
ことを特徴とする請求項８に記載の血液浄化装置（５０）。
【請求項１０】
請求項１から請求項７のいずれか１項に記載の血液回路パネル（１Ｓ、１Ｆ）に、
接続チューブ（ＪＴ）のループ部（ＪＴＬ）を、装着溝（ＪＴＭ）に遊着して、ポンプ（Ｐ）の回転により接続チューブ（ＪＴ）が動く範囲でループ径を可変させることができるように装着する、
ことを特徴とする血液回路の接続チューブ（ＪＴ）の固定方法。
【発明の詳細な説明】
【技術分野】
【０００１】
血液浄化回路（以下、単に血液回路と記載する場合がある）を取り付ける血液回路パネル（以下単にパネルと記載する場合がある。）と、血液回路を構成する接続チューブの固定方法に関するものであり、ローラーポンプ（以下、単にポンプと記載する場合がある）の回転によるポンプチューブの伸びや拍動等に起因する接続チューブのズレやキンクを防止するためのパネルと接続チューブの固定方法に関するものである。
【背景技術】
【０００２】
血液浄化療法において、患者から取り出した血液を体外循環しながら血液フィルター（中空糸膜、吸着剤等）に導入し、膜分離や吸着による不要物質の除去を目的とする治療がなされている。
例えば血液、透析液、補充液、置換液、廃液を、複数のローラーポンプを用いてポンプチューブをしごくことにより、血液フィルター、血液回路内に導き、血液の浄化、血漿分離を行っている。（特許文献１参照）
ポンプチューブは、ポリ塩化ビニル等、軟質の高分子材料を使用しているが、ポンプの回転に追随して、拍動したり、回転方向に伸びることにより、ポンプチューブと繋がっている接続チューブが持続的に動いてしまうことがある。
一方、複雑化した血液回路の装置への取り付けにおいて、誤接続のリスク低減や簡易的な取付け操作の目的から、パネルに各種チューブ、各種チャンバー等の部品をあらかじめ固定し、パネルごと血液浄化装置に取り付ける手段が用いられている。（例えば特許文献２参照）
【先行技術文献】
【特許文献】
【０００３】
【特許文献１】国際公開ＷＯ２０１３／０２２０２４号（要約、図１）
【特許文献２】国際公開ＷＯ２００８／０９９８９０号（要約、図１）
【発明の概要】
【発明が解決しようとする課題】
【０００４】
近年、多機能を有する血液浄化装置が開発され、各種装置の構成部品や血液回路の構成部品の数、種類も増加している。このため血液浄化装置の正面または側面の定められた領域（面積）に、これらの部品を集約できるように試行錯誤がなされている。
（１）例えば図９のように、透析液ポンプＰＤ、補充液ポンプＰＡ、廃液ポンプＰＷとパネル１Ｓを隣接して配置する場合に、例えば図１０、図１１（図９のＡ部拡大図で、接続チューブＪＴにループ部ＪＴＬを形成せず、パネル１Ｓがループ部ＪＴＬの装着溝ＪＴＬＭを形成しないパネル１０１Ｓの場合）のように廃液ポンプＰＷの稼働によってポンプチューブＰＴが動くことにより、血液回路チューブＢＴの接続管ＢＴＪとポンプチューブＰＴの接続管ＰＴＪとの間に固定された接続チューブＪＴがキンクしたり、装着溝ＪＴＭから外（正面側）にはみ出して各種装置の構成部品や血液回路の構成部品に接触する可能性が高い。
【０００５】
（２）またこれらのリスクを回避するため、例えば特許文献２のように、２枚のパネルをある程度距離を置いて設置し、その間の接続チューブを長くして固定しない部分を設けている。これらの接続チューブは全体をループ状に形成しているものもあるが、その目的はキンクの防止ではなく、重量精度を向上するためである。しかしこの場合、接続チューブがあまり長くなりすぎると、血液回路を包装袋に収納する際に、嵩張ったり、チューブがキンクする原因となる。
【課題を解決するための手段】
【０００６】
そこで本発明者は、以上の課題を解決するために鋭意検討を重ねた結果、以下の発明に到達した。
[１]本発明は、少なくとも血液回路チューブ（ＢＴ）の装着溝（ＢＴＭ）と、血液回路チューブ（ＢＴ）とポンプチューブ（ＰＴ）とを繋ぐ接続チューブ（ＪＴ）の装着溝（ＪＴＭ）を有し、
当該接続チューブ（ＪＴ）の装着溝（ＪＴＭ）の途中に、接続チューブ（ＪＴ）のループ部（ＪＴＬ）の装着溝（ＪＴＬＭ）を形成した血液回路パネル（１Ｓ、１Ｆ）を提供する。
[２]本発明は、ループ部（ＪＴＬ）の装着溝（ＪＴＬＭ）は少なくとも接続チューブ（ＪＴ）のループ部（ＪＴＬ）が遊着できる空間を有する形状である[１]に記載の血液回路パネル（１Ｓ、１Ｆ）を提供する。
[３]本発明は、接続チューブ（ＪＴ）の外径を（φＤ）、
当該接続チューブ（ＪＴ）が装着溝（ＪＴＭ）からせり出す前のループ部（ＪＴＬ）の内径を（φＡ）、
接続チューブ（ＪＴ）が長さ（Ｃ）だけ側部（Ｓ）の一方向に装着溝（ＪＴＭ）からせり出した時のループ部（ＪＴＬ）の外径を（φＢ）とすると、
接続チューブ（ＪＴ）の一部が装着溝（ＪＴＬＭ）の中に、（Ｎ）周分、ループ状に巻かれて装着されている場合、
装着溝（ＪＴＬＭ）の外径（φＢ）は、
φＢ＝［（φＡ＋２Ｄ）π＋Ｃ／Ｎ］／πにより算出した値以上の大きさに形成する[１]または[２]に記載の血液回路パネル（１Ｓ、１Ｆ）を提供する。
【０００７】
[４] 本発明は、ループ部（ＪＴＬ）の装着溝（ＪＴＬＭ）は、側部（Ｓ）の一方向で血液回路チューブ（ＢＴ）の接続管（ＢＴＪ）の装着溝（ＢＴＪＭ）と繋がり、他の側部（Ｓ）の一方向でポンプチューブ（ＰＴ）の接続管（ＰＴＪ）の装着溝（ＰＴＪＭ）と繋がっている[１]から［３］のいずれか１項に記載の血液回路パネル（１Ｓ、１Ｆ）を提供する。
[５] 本発明は、ループ部（ＪＴＬ）の装着溝（ＪＴＬＭ）は、
（Ａ）下部（Ｄ）方向から第２側部（Ｓ２）方向に向けて血液回路チューブ（ＢＴ）の接続管（ＢＴＪ）の装着溝（ＢＴＪＭ）と繋がり、かつ下部（Ｄ）方向から第１側部（Ｓ１）方向に向けてポンプチューブ（ＰＴ）の接続管（ＰＴＪ）の装着溝（ＰＴＪＭ）と繋がり、または
（Ｂ）第１側部（Ｓ１）方向から下部（Ｄ）方向に向けて前記装着溝（ＢＴＪＭ）と繋がり、かつ第２側部（Ｓ２）方向から下部（Ｄ）方向に向けて前記装着溝（ＰＴＪＭ）と繋がり、または
（Ｃ）第１側部（Ｓ１）方向から下部（Ｄ）方向に向けて前記装着溝（ＢＴＪＭ）と繋がり、かつ上部（Ｕ）方向から第２側部（Ｓ２）方向に向けて前記装着溝（ＰＴＪＭ）と繋がり、または
（Ｄ）第２側部（Ｓ２）方向から上部（Ｕ）方向に向けて前記装着溝（ＢＴＪＭ）と繋がり、かつ上部（Ｕ）方向から第２側部（Ｓ２）方向に向けて前記装着溝（ＰＴＪＭ）と繋がっている[１]から[４]のいずれか１項に記載の血液回路パネル（１Ｓ、１Ｆ）を提供する。
[６] 本発明は、少なくとも一個以上のチャンバー（ＣＦ２、ＣＭ、ＣＢ、ＣＲＢ、ＣＦ１）の装着溝（ＣＦ２Ｍ、ＣＭＭ、ＣＢＭ、ＣＲＢＭ、ＣＦ１Ｍ）を形成し、
少なくとも一個以上のセンサー（ＳＬ、ＳＢ、ＳＡ）の装着溝（ＳＬＭ、ＳＢＭ、ＳＡＭ）を形成した[１]から[５]のいずれか１項に記載の血液回路パネル（１Ｓ、１Ｆ）を提供する。
【０００８】
[７] 本発明は、少なくとも一個以上のクランプ（ＣＬ）の装着溝（ＣＬＭ）を形成し、
少なくとも一個以上のポンプチューブ（ＰＴ）の接続管（ＰＴＪ）の装着溝（ＰＴＪＭ）を形成し、
少なくとも一個以上の血液回路チューブ（ＢＴ）の接続管（ＪＴ）の装着溝（ＪＴＭ）を形成した[１]から[６]のいずれか１項に記載の血液回路パネル（１Ｓ、１Ｆ）を提供する。
[８] 本発明は、正面または側面の側部（Ｓ）の一方向に複数のポンプ（Ｐ）を装着し、
当該複数のポンプ（Ｐ）の側部（Ｓ）の一方向の近傍に[１]から[７]のいずれか１項に記載の血液回路パネル（１Ｓ、１Ｆ）を隣接して装着し、
接続チューブ（ＪＴ）の装着溝（ＪＴＭ）に、途中にループ部（ＪＴＬ）を形成した接続チューブ（ＪＴ）を装着した血液浄化装置（５０）を提供する。
[９]本発明は、接続チューブ（ＪＴ）のループ部（ＪＴＬ）は、装着溝（ＪＴＭ）に遊着して、ポンプ（Ｐ）の回転により接続チューブ（ＪＴ）が動く範囲でループ径を可変させることができるように装着した[８]に記載の血液浄化装置（５０）を提供する。
[１０]本発明は、[１]から[７]のいずれか１項に記載の血液回路パネル（１Ｓ、１Ｆ）に、
接続チューブ（ＪＴ）のループ部（ＪＴＬ）を、装着溝（ＪＴＭ）に遊着して、ポンプ（Ｐ）の回転により接続チューブ（ＪＴ）が動く範囲でループ径を可変させることができるように装着する血液回路の接続チューブ（ＪＴ）の固定方法を提供する。
【発明の効果】
【０００９】
ポンプチューブＰＴに繋がる接続チューブＪＴの一部にループ部ＪＴＬを形成し、当該ループ部ＪＴＬを、パネル（１Ｓ、１Ｆ）のループ部ＪＴＬの装着溝ＪＴＬＭに遊着することにより、
（１）ポンプＰの拍動、回転による接続チューブＪＴの伸びやせり出しを緩衝できるため、接続チューブＪＴのキンク、装着溝ＪＴＭから外へはみ出して各種装置の構成部品や血液回路の構成部品の接触を防止できる。
（２）（１）によってパネル（１Ｓ、１Ｆ）と各種ポンプＰを隣接して、血液浄化装置の側面、正面に設置することが可能であり、血液浄化装置のレイアウトの自由度が高くなり、コンパクトな装置設計が可能となる。
【図面の簡単な説明】
【００１０】
【図１】図１は本発明の血液回路パネル１Ｓ（側面パネル）の正面図である。である。
【図２】図２は本発明の血液回路パネル１Ｓ（側面パネル）を立体的に見た斜視図である。
【図３】図３は図２の一部拡大図である。
【図４】図４は図１の血液回路パネル１Ｓに血液回路部品を装着したところの正面図である。
【図５】図５は本発明の血液回路パネル１Ｆ（正面パネル）の正面図である。である。
【図６】図６は図５の血液回路パネル１Ｆ（正面パネル）に血液回路部品を装着したところの正面図である。
【図７】図７は図４の一部拡大図である。
【図８】図８は本発明の血液回路パネル１Ｓの接続チューブＪＴの装着溝ＪＴＭのその他の実施例を示す一部拡大図である。
【図９】図９は血液回路パネル１Ｓ、１Ｆを装着した血液浄化装置の概略図である。（Ａ）は正面図、（Ｂ）は側面図である。
【図１０】図１０は図９のＡ部拡大図（接続チューブＪＴにループ部ＪＴＬを形成せず、血液回路パネル１０１Ｓにもループ部ＪＴＬの装着溝ＪＴＬＭを形成しない場合）である。
【図１１】図１１は図１０の接続チューブＪＴがキンクしている様子を示している。
【発明を実施するための形態】
【００１１】
以下、図面を参照しながら本発明を詳細に説明する。
（用語の定義等）
本発明の血液回路パネルの理解を容易にするため、以下の定義をおく。
本発明の請求項、発明の説明に付した符号は、本発明の血液回路パネルの理解を容易にするために記載したものであり、符号そのものが発明を特定するものではない。
血液浄化回路は、以下、単に血液回路と記載する場合がある。
血液回路パネル１Ｆ、１Ｓは、以下単にパネル１Ｆ、１Ｓと記載する場合がある。
血液回路を構成するポンプチューブＰＴ、接続チューブＪＴ以外の血液回路チューブＢＴは、ポンプチューブＰＴ、接続チューブＪＴと区別するために、単にチューブＢＴと記載する場合がある。
【００１２】
血液回路の各部材は、図面を煩雑化しないように、主要な部材のみ図面に記載した。
例えば、血液回路の各部材の装着溝の符号は、例えば「接続管ＰＴＪの装着溝ＰＴＪＭ」のように記載し、部材の符号「ＰＴＪ」の最後に「Ｍ」を付している。
また冗長な記載を簡略化するために、例えば「接続管ＰＴＪの装着溝ＰＴＪＭ」は、単に「装着溝ＰＴＪＭ」と記載する場合がある。
【００１３】
本発明で、「第１側部Ｓ１（側または方向）」とは、側部Ｓ方向の一方向を示し、図９（Ａ）に示すように、パネル１Ｆ（正面側パネル）、血液浄化装置５０の正面を意味する。また図８（Ａ）に示すように時計の９時方向を意味する。
「第２側部Ｓ２（側または方向）」とは、側部Ｓ方向の一方向を示し、図９（Ａ）に示すように、パネル１Ｆ（正面側パネル）、血液浄化装置５０の背面を意味する。また図８（Ａ）に示すようにでは時計の３時方向を意味する。
「第３側部Ｓ３（側または方向）」とは、側部Ｓ方向の一方向を示し、図９（Ａ）に示すように、パネル１Ｆ（正面側パネル）、血液浄化装置５０の右側を意味する。
「第４側部Ｓ４（側または方向）」とは、側部Ｓ方向の一方向を示し、図９（Ａ）に示すように、パネル１Ｆ（正面側パネル）、血液浄化装置５０の左側を意味する。
【００１４】
「上部Ｕ（側または方向）」とは、側部Ｓ方向の一方向を示し、図９（Ａ）に示すように、パネル１Ｆ（正面パネル）、血液浄化装置５０の上側を意味する。  また図８（Ａ）に示すようにでは時計に１２時方向を意味する。
「下部Ｄ（側または方向）」とは、側部Ｓ方向の一方向を示し、図９（Ａ）に示すように、パネル１Ｆ（正面パネル）、血液浄化装置５０の下側を意味する。
また図８（Ａ）に示すようにでは時計の６時方向を意味する。
【００１５】
本発明のパネル１Ｆ、１Ｓは、図１から図６に示すように、いわゆる略平板状の形態を有する。矩形でもよいし、楕円形でもよい。
パネル１Ｆ、１Ｓは、図９に示すように血液浄化装置５０の第１側部Ｓ１側（正面）と第３側部Ｓ３側（右側）に装着する。
【００１６】
図１から図４のパネル１Ｓは、いわゆる側面パネルともいう。図１から図４に例示するように、複数の血液回路チューブＢＴの装着溝ＢＴＭの他に、
第１側部Ｓ１側に上部Ｕ側から下部Ｄ側にむけて、二次フィルターのロ液貯留チャンバーＣＦ２の装着溝ＣＦ２Ｍ、液面センサーＳＬの装着溝ＳＬＭ、
漏血センサーＳＢの装着溝ＳＢＭ、クランプＣＬの装着溝ＣＬＭを形成している。
第２側部Ｓ２側に上部Ｕ側から略中央部Ｍ、下部Ｄ側にむけて、複数の接続管ＢＴＪの装着溝ＢＴＪＭ、接続チューブＪＴの装着溝ＪＴＭ（ループ部ＪＴＬの装着溝ＪＴＬＭを含む）、ポンプチューブＰＴの接続管ＰＴＪの装着溝ＰＴＪＭを形成している。
装着溝ＪＴＭ（ＪＴＬＭ含む）と装着溝ＰＴＪＭのみ、上部Ｕ側、略中央部Ｍ、下部Ｄ側を区別するために、例えば上部Ｕ側の装着溝ＰＴＪＭは、ＰＴＪＭ（Ｕ）のように、（Ｕ）、（Ｍ）、（Ｄ）の符号を追記している。
また下部Ｄ側には装着溝ＣＬＭを形成している。
略中央ないし略中央寄り（第１側部Ｓ１側と第２側部Ｓ２側との間）に上部Ｕ側から下部Ｄ側にむけて、気泡センサーＳＡの装着溝ＳＡＭ、計量チャンバーＣＭの装着溝ＣＭＭ、気泡センサーＳＡの装着溝ＳＡＭ、クランプＣＬの装着溝ＣＬＭを形成している。
【００１７】
図５から図６のパネル１Ｆは、いわゆる正面パネルで、図５から図６に例示するように、複数の血液回路チューブＢＴの装着溝ＢＴＭの他に、第４側部Ｓ４側の上部Ｕ側に、脱血チャンバーＣＢの装着溝ＣＢＭを形成している。
略中央ないし略中央寄り（第１側部Ｓ１側と第２側部Ｓ２側との間）から第２側部Ｓ２側の上部Ｕ側から下部Ｄ側にむけて、返血チャンバーＣＲＢの装着溝ＣＲＢＭ、一次フィルターのロ液貯留チャンバーＣＦ１の装着溝ＣＦ１Ｍ、液面センサーＳＬの装着溝ＳＬＭ、気泡センサーＳＡの装着溝ＳＡＭを形成している。なお点線で示した装着溝ＪＴＬＭ、ＰＴＪＭについては後述する。
【００１８】
本発明のパネル１Ｓの特徴は、図１から図７に例示するように、少なくとも血液回路チューブＢＴの装着溝ＢＴＭと、血液回路チューブＢＴとポンプチューブＰＴとの接続チューブＪＴ（途中ないし一部をループ状に形成したループ部ＪＴＬを有する）の装着溝ＪＴＭを有し、当該接続チューブＪＴの装着溝ＪＴＭの途中に（装着溝ＪＴＭの一部として）、接続チューブＪＴのループ部ＪＴＬの装着溝ＪＴＬＭを形成した点である。
ループ部ＪＴＬの装着溝ＪＴＬＭの形状は、本発明の目的が達成できればよく、少なくともループ部ＪＴＬが遊着（遊びをもたせて取り付ける）できる形態（空間、スペース）を含んでいればよい。
例えば図１から図４に例示するように、略中央部に略円柱状ないし略楕円柱状、略半円柱状ないし略半楕円柱状の突起Ｔを形成し、当該突起Ｔの周囲に略円環状ないし半略楕円環状の溝（空間）を形成し、また当該略円環状ないし半略楕円環状略と半円柱状ないし略半楕円柱状の組み合わせた形状の溝（空間）を形成している。
【００１９】
ループ部ＪＴＬの装着溝ＪＴＬＭは、図８の（Ａ）から（Ｄ）に例示するように、側部Ｓの一方向で装着溝ＢＴＪＭと繋がり、他の側部の一方向で装着溝ＰＴＪＭと繋がっている。
図８（Ａ）：６時方向（下部Ｄ方向）から第１側部Ｓ１方向に向けて装着溝ＢＴＪＭと繋がり、かつ６時方向（下部Ｄ方向）から第１側部Ｓ１方向に向けて装着溝ＰＴＪＭと繋がっている。
図８（Ｂ）：９時方向（第１側部Ｓ１方向）から下部Ｄ方向に向けて装着溝ＢＴＪＭと繋がり、かつ３時方向（第２側部Ｓ２方向）から下部Ｄ方向に向けて装着溝ＰＴＪＭと繋がっている。
図８（Ｃ）：９時方向（第１側部Ｓ１方向）から下部Ｄ方向に向けて装着溝ＢＴＪＭと繋がり、かつ１２時方向（上部Ｕ方向）から第２側部Ｓ２方向に向けて装着溝ＰＴＪＭと繋がっている。
図８（Ｄ）：３時方向（第２側部Ｓ２方向）から上部Ｕ方向に向けて装着溝ＢＴＪＭと繋がり、かつ１２時方向（上部Ｕ方向）から第２側部Ｓ２方向に向けて装着溝ＰＴＪＭと繋がっている。
【００２０】
本発明のパネル（１Ｓ、１Ｆ）は、例えば図４、図６に例示するように、血液浄化装置５０の側面、正面の側部Ｓの一方向に上部Ｕから下部Ｄ側に複数のポンプＰ（透析液ポンプＰＤ、補充液ポンプＰＡ、廃液ポンプＰＷ、血液ポンプＰＢ、ロ液ポンプＰＦ）を装着し、当該複数のポンプＰ（透析液ポンプＰＤ、補充液ポンプＰＡ、廃液ポンプＰＷ、血液ポンプＰＢ、ロ液ポンプＰＦ）の側部Ｓの一方向の近傍に隣接して装着する場合に有効である。
【００２１】
図４では、血液浄化装置５０の側部Ｓの一方向（第２側部Ｓ２側）に、他の側部の一方向（上部Ｕ）から他の側部の一方向（下部Ｄ）に各ポンプＰＤ、ＰＡ、ＰＷを配置し、当該各ポンプＰＤ、ＰＡ、ＰＷの側部Ｓの一方向（第１側部Ｓ１側）にパネル１Ｓを配置している。
図６では、血液浄化装置５０の側部Ｓの一方向（第４側部Ｓ４側）に、他の側部の一方向（上部Ｕ）から他の側部の一方向（下部Ｄ）に各ポンプＰＢ、ＰＦを配置し、当該各ポンプＰＢ、ＰＦの側部Ｓの一方向（第３側部Ｓ３側）にパネル１Ｓを配置している。
図４、図６に例示するように、各血液回路部材をパネル（１Ｓ、１Ｆ）の各装着溝に装着している。
【００２２】
図４では、下部Ｄ側の接続チューブＪＴ（Ｄ）は、略円環状の装着溝ＪＴＭ（Ｄ）に装着している。
上部Ｕと中央Ｍの接続チューブＪＴ（Ｕ）、ＪＴ（Ｍ）は、下部Ｄ側の接続チューブＪＴ（Ｄ）よりも長いためループ部ＪＴＬを大きくするために、スペースの大きな装着溝ＪＴＭ（Ｕ）、ＪＴＭ（Ｍ）に装着している。
接続チューブＪＴのループ部ＪＴＬは、装着溝ＪＴＭに遊着して、ポンプＰの回転により接続チューブＪＴが動く範囲でループ径を可変させることができるように装着している。
【００２３】
図５から図６のパネル１Ｆの説明では、接続チューブＪＴの装着溝ＪＴＭ（ＪＴＬＭ）は説明しなかったが、側部Ｓの一方向（第４側部Ｓ４側）の各ポンプＰＢ、ＰＦの近傍に図１から図４と同様に、途中にループ部ＪＴＬの装着溝ＪＴＬＭを含む装着溝ＪＴＭを形成することができる。
例えば図５の点線の位置で示すように、ループ部ＪＴＬの装着溝ＪＴＬＭは、側部Ｓの一方向で装着溝ＰＴＪＭと繋がり、他の側部の一方向では、装着溝ＣＢＭと繋ぐように形成することができる。
【００２４】
本発明の図１から図４のいわゆる側面パネル１Ｓ、図５から図６のいわゆる正面パネル１Ｆの形状は図１から図６に記載したものに限定されない。
少なくとも血液回路チューブＢＴの装着溝ＢＴＭと、血液回路チューブＢＴとポンプチューブＰＴとを繋ぐ接続チューブＪＴの装着溝ＪＴＭを有し、当該接続チューブＪＴの装着溝ＪＴＭの途中に、接続チューブＪＴのループ部ＪＴＬの装着溝ＪＴＬＭを形成しておればよい。
また少なくとも一個以上の前記チャンバー（ＣＦ２、ＣＭ、ＣＢ、ＣＲＢ、ＣＦ１）の装着溝（ＣＦ２Ｍ、ＣＭＭ、ＣＢＭ、ＣＲＢＭ、ＣＦ１Ｍ）を形成し、また少なくとも一個以上の前記センサー（ＳＬ、ＳＢ、ＳＡ）の装着溝（ＳＬＭ、ＳＢＭ、ＳＡＭ）を形成し、また少なくとも一個以上のクランプＣＬの装着溝ＣＬＭを形成し、また少なくとも一個以上のポンプチューブＰＴの接続管ＰＴＪの装着溝ＰＴＪＭを形成し、また少なくとも一個以上の血液回路チューブＢＴの接続管ＢＴＪの装着溝ＢＴＪＭを形成しておればよい。すなわちこれらの各装着溝のコンビネーションは、血液治療の目的に応じた血液回路の仕様により作成することができる。
【００２５】
例えば図１から図４のパネル１Ｓの接続チューブＪＴの装着溝ＪＴＭと、当該装着溝ＪＴＭに装着する接続チューブＪＴの具体例について、図７[図８（Ａ）／接続チューブＪＴの一部が装着溝ＪＴＭの中に、１周分、ループ状に巻かれて装着されている場合]の例を挙げて記載する。
接続チューブＪＴの外径をφＤ、
当該接続チューブＪＴが装着溝ＪＴＭからせり出す前のループ部ＪＴＬの内径をφＡ、
接続チューブＪＴが長さＣだけ側部Ｓの一方向（第２側部Ｓ２方向）に装着溝ＪＴＭからせり出した時のループ部ＪＴＬの外径をφＢとすると、
装着溝ＪＴＬＭの外径φＢは、φＢ＝［（φＡ＋２Ｄ）π＋Ｃ］／πで算出した値以上の大きさ（必要な外径φＢ）に形成すればよい。
【００２６】
また図８（Ｂ）（接続チューブＪＴの一部が装着溝ＪＴＬＭの中に、１．５周分、ループ状に巻かれて装着されている場合、Ｓ１−Ｕ―Ｓ２方向で接続チューブＪＴの一部が半周分（１８０度分）重なっている。）、
図８（Ｃ）（同様に１．２５周、ループに巻かれて装着されている場合、Ｓ１−Ｕ方向で、接続チューブＪＴの一部が４分の１周分（９０度分）重なっている。）、
図８（Ｄ）（同様に０．７５周、ループに巻かれて装着されている場合、Ｕ―
Ｓ２方向で、接続チューブＪＴの一部（４分の１周分（９０度分））は、ループ状に巻かれていない。換言すれば装着溝ＪＴＬＭに装着されていない）も同様の考えで、
必要な装着溝ＪＴＬＭの外径φＢは、次式で算出することができる。
図８（Ｂ）：  φＢ＝［（φＡ＋２Ｄ）π＋Ｃ/１．５］／π
図８（Ｃ）：  φＢ＝［（φＡ＋２Ｄ）π＋Ｃ/１．２５］／π
図８（Ｄ）：  φＢ＝［（φＡ＋２Ｄ）π＋Ｃ/０．７５］／π
接続チューブＪＴの一部が装着溝ＪＴＬＭの中に、Ｎ周分、ループ状に巻かれて装着されている場合、接続チューブＪＴが長さＣだけ側部Ｓの一方向（第２側部Ｓ２方向）に装着溝ＪＴＭからせり出した時のループ部ＪＴＬの外径をφＢとすると、装着溝ＪＴＬＭの外径φＢは、φＢ＝［（φＡ＋２Ｄ）π＋Ｃ／Ｎ］／πで算出した値以上の大きさに形成すればよい。
【００２７】
例えば接続チューブＪＴの内径は２ｍｍから６ｍｍ、外径は３ｍｍから７ｍｍのものを使用するのが良い。あまり径が小さすぎるとループ部ＪＴＬを形成する際に、接続チューブＪＴがキンクしやすく、逆に径が大きすぎると狭いスペースでループ部ＪＴＬが形成することが困難となる。
【００２８】
ループ部ＪＴＬの最小径は、使用する接続チューブＪＴの径、材質によって異なるが、血液回路で汎用されている内径３．３ｍｍ、外径５．７ｍｍ、ショアＡ硬度７５（１５秒値）のチューブの場合、ループ部ＪＴＬの内径φ（φＡ）が、１５ｍｍ以上であればキンクせずにループ部ＪＴＬを形成することが可能である。
接続チューブＪＴ（ループ部ＪＴＬを含む）を装着する（嵌め込む）装着溝ＪＴＭ（ＪＴＬＭを含む）は、ポンプＰの回転時に接続チューブＪＴの伸び代だけループ部ＪＴＬの径が拡大することを想定して、装着溝ＪＴＬＭの径を形成する。
【００２９】
接続チューブＪＴにループ部ＪＴＬを形成することにより、ループ部ＪＴＬ
がポンプチューブＰＴの動きを緩衝することができ、ポンプＰの回転時の拍動、回転方向への接続チューブＪＴのせり出し、接続チューブＪＴのキンク、各種装置の構成部品や血液回路の構成部品の接触を防止できる。
【００３０】
（パネル１Ｓ、１Ｆの材料）
パネルは、プラスチック、金属等、チューブＢＴ等の固定によって変形しない材料を使用する。
（各種チューブの材料）
ポンプチューブＰＴ及び当該ポンプチューブＰＴに接続する接続チューブＪＳＴは、軟質の樹脂製の材料（ポリ塩化ビニル、ポリウレタン、ポリオレフィン、ナイロン、シリコン、フッ素樹脂等）を使用する。
【符号の説明】
【００３１】
１Ｓ    血液回路パネル（側面パネル）
１Ｆ    血液回路パネル（正面パネル）
５０    血液浄化装置  
Ｐ      ポンプ
ＰＢ    血液ポンプ
ＰＦ    ロ液ポンプ
ＰＤ    透析液ポンプ
ＰＡ    補充液ポンプ
ＰＷ    廃液ポンプ
ＢＴ    血液回路チューブ
ＢＴＭ  血液回路チューブの装着溝
ＪＴ    （血液回路チューブとポンプチューブの）接続チューブ
ＪＴＭ  接続チューブの装着溝
ＪＴＬ  （接続チューブの）ループ部
ＪＴＬＭ  ループ部の装着溝
ＢＴＪ  （血液回路チューブの）接続管
ＢＴＪＭ  接続管の装着溝
ＰＴ      ポンプチューブ
ＰＴＪ  （ポンプチューブの）接続管
ＰＴＪＭ  接続管の装着溝
ＣＢ      脱血チャンバー
ＣＢＭ    （脱血チャンバーの）装着溝
ＣＲＢ    返血チャンバー
ＣＲＢＭ  （返血チャンバーの）装着溝
ＣＦ１    一次フィルターのロ液チャンバー
ＣＦ１Ｍ  （一次フィルターのロ液貯留チャンバーの）装着溝
ＳＡ      気泡センサー
ＳＡＭ    （気泡センサーの）装着溝
ＣＦ２    二次フィルターのロ液貯留チャンバー（エアートラップ）
ＣＦ２Ｍ  （二次フィルターのロ液貯留チャンバーの）装着溝
ＳＬ      液面センサー
ＳＬＭ    （液面センサーの）装着溝
ＳＢ      漏血センサー
ＳＢＭ    （漏血センサーの）装着溝
ＣＬ      クランプ
ＣＬＭ    （クランプの）装着溝
ＣＭ      計量チャンバー
ＣＭＭ  （計量チャンバーの）装着溝
【図１】
2017164285.tif 000003
【図２】
2017164285.tif 000004
【図３】
2017164285.tif 000005
【図４】
2017164285.tif 000006
【図５】
2017164285.tif 000007
【図６】
2017164285.tif 000008
【図７】
2017164285.tif 000009
【図８】
2017164285.tif 000010
【図９】
2017164285.tif 000011
【図１０】
2017164285.tif 000012
【図１１】
2017164285.tif 000013